(57)【要約】【課題】カラー画像機器で表示あるいは出力するカラー画像の高画質化手法として、ユーザーに興味の対象となる色や対象領域を選択させ、それを補正の中心色とし色補正を施すことによって、柔軟に色補正を実現する。【解決手段】この画像色補正装置１は、入力画像２を色補正して画像表示部３に出力画像を供給する画像色補正装置１であって、画像表示部３の出力画像から色補正対象となる対象物あるいは対象色を選択する対象選択手段１０と、選択された対象物あるいは対象色の中心色を計算し補正の中心色とし、この中心色を補正することにより出力画像を希望の色に補正する色補正処理部１１とから構成される。【選択図】　　　図１
2004118442.tif 000002
【特許請求の範囲】
【請求項１】
入力画像を色補正して画像表示部に出力画像を供給する画像色補正装置であって、前記画像表示部の出力画像から色補正対象となる対象物あるいは対象色を選択する対象選択手段により選択された前記対象物あるいは前記対象色の中心色を計算して補正の中心色とし、この中心色を補正することにより前記出力画像を希望の色に補正する色補正処理部を備えることを特徴とする画像色補正装置。
【請求項２】
入力画像を色補正して画像表示部に出力画像を供給する画像色補正装置であって、前記画像表示部の出力画像から色補正対象となる対象物あるいは対象色を選択する対象選択手段と、選択された前記対象物あるいは前記対象色の中心色を計算し補正の中心色とし、この中心色を補正することにより前記出力画像を希望の色に補正する色補正処理部とを備えることを特徴とする画像色補正装置。
【請求項３】
入力画像を色補正して画像表示部に出力画像を供給する画像色補正装置であって、色補正対象画像を提示する評価画像提示手段と、この評価画像提示手段の提示に基づいて得られる画像から色補正対象となる対象物あるいは対象色を選択する対象選択手段と、選択された前記対象物あるいは前記対象色の中心色を計算し補正の中心色とし、この中心色を補正することにより前記出力画像を希望の色に補正する色補正処理部とを備えることを特徴とする画像色補正装置。
【請求項４】
前記評価画像提示手段が提示する画像が、人間にとって重要な対象物である人間の顔、草木の緑、青空が含まれた自然画像や、赤、緑、青、シアン、マジェンタ、イエロなどの色を含んだコンピュータグラフィック画像であることを特徴とする請求項３記載の画像色補正装置。
【請求項５】
前記対象選択手段が、前記出力画像の色補正対象となる前記対象物の１画素を指定するコンピュータマウスまたは選択領域サイズおよび形状が可変で１画素以上の領域を指定できるスポイトツールまたは補正の領域を塗りつぶすことにより指定するペンツールから成ることを特徴とする請求項２または３記載の画像色補正装置。
【請求項６】
前記色補正処理部が、前記対象選択手段により選択された対象の中心色を計算し補正の中心色とする中心色算出手段と、前記補正の中心色を動かすことで対象の色を調整する色調整手段と、この色調整手段で決定した調整前後の色の組み合わせから色補正を構築する色補正構築手段と、この色補正構築手段で構築された色補正を記憶するメモリと、このメモリに記憶された色補正を用いて前記入力画像に色補正を施し前記画像表示部に色補正結果を出力する画像色補正手段とから成ることを特徴とする請求項２または３記載の画像色補正装置。
【請求項７】
前記中心色算出手段による前記補正の中心色の計算方法が、前記対象選択手段により選択された対象物の色が１画素である場合には、その１画素の色を前記補正の中心色とし、複数の画素で指定された場合には、その複数画素の平均色、あるいは、中央色を前記補正の中心色とすることを特徴とする請求項６記載の画像色補正装置。
【請求項８】
前記色調整手段が、前記中心色算出手段から受領した前記補正の中心色を調整した後の色を対話的に決定させるグラフィックユーザーインターフェース（以下ＧＵＩと呼ぶ）を有することを特徴とする請求項６記載の画像色補正装置。
【請求項９】
前記ＧＵＩが、参照画像を見ながら、色相および彩度を調整する色相環調整ツールと明度を調整する明度調整バーとから成る色調整用コントロールと、現在調整している色を色調整前の色に戻すための復帰ボタンと、色調整を決定するための決定ボタンとを有することを特徴とする請求項６記載の画像色補正装置。
【請求項１０】
前記色補正構築手段が、色補正の対象となる色調整前の中心色と、前記色調整手段で決定した色調整後の中心色の組み合わせから、色補正を構築し、前記メモリに記録されることを特徴とする請求項６記載の画像色補正装置。
【請求項１１】
前記画像色補正手段が、任意の前記入力画像を入力し、前記メモリに記憶された色補正を用いて、前記入力画像に色補正を施し、前記画像表示部を介して色補正結果を提示することを特徴とする請求項６記載の画像色補正装置。
【請求項１２】
前記画像表示部が、ＣＲＴまたは液晶ディスプレイであることを特徴とする請求項２または３記載の画像色補正装置。
【請求項１３】
前記画像表示部が、プロジェクタ等の画像投射装置であることを特徴とする請求項２または３記載の画像色補正装置。
【請求項１４】
前記画像表示部が前記プロジェクタ等の画像投射装置である場合、前記色調整手段として、投射した画像内に前記ペンツール、前記スポイトツール、前記色調整用コントロール等を前記ＧＵＩとして表示し、色調整を行うことを特徴とする請求項１３記載の画像色補正装置。
【請求項１５】
入力画像を色補正して画像表示部に出力画像を供給する画像色補正方法であって、前記画像表示部の出力画像から色補正対象となる対象物あるいは対象色を選択し、選択された前記対象物あるいは前記対象色の中心色を計算し補正の中心色とし、この中心色を補正することにより前記出力画像を希望の色に補正することを特徴とする画像色補正方法。
【請求項１６】
入力画像を色補正して画像表示部に出力画像を供給する画像色補正方法であって、色補正対象画像を提示し、この評価画像提示に基づいて得られる画像から色補正対象となる対象物あるいは対象色を選択し、選択された前記対象物あるいは前記対象色の中心色を計算し補正の中心色とし、この中心色を補正することにより前記出力画像を希望の色に補正することを特徴とする画像色補正方法。
【請求項１７】
前記出力画像の色補正対象となる前記対象物の１画素を指定するコンピュータマウスまたは選択領域サイズおよび形状が可変で１画素以上の領域を指定できるスポイトツールまたは補正の領域を塗りつぶすことにより指定するペンツールによりそれぞれ前記対象物あるいは前記対象色を選択することを特徴とする請求項１５または１６記載の画像色補正方法。
【請求項１８】
入力画像を色補正して、画像表示部に出力画像を供給する画像色補正方法であって、前記画像表示部の出力画像から色補正対象となる対象物あるいは対象色を選択する対象選択ステップと、対象色の中心色を計算し補正の中心色とする中心色算出ステップと、前記補正の中心色を動かすことで対象の色を調整する色調整ステップと、この色調整ステップで決定した調整前後の色の組み合わせから色補正を構築する色補正構築ステップと、この色補正構築ステップで構築された色補正を記憶する記憶ステップと、記憶された前記色補正を用いて前記入力画像に色補正を施し前記画像表示部に色補正結果を出力する画像色補正ステップとから成ることを特徴とする画像色補正方法。
【請求項１９】
画像表示部の出力画像から色補正対象となる対象物あるいは対象色を選択する対象選択手段により選択された前記対象物あるいは前記対象色の中心色を計算して補正の中心色とし、この中心色を補正することにより前記出力画像を希望の色に補正する色補正処理をコンピュータに実行させることを特徴とする画像色補正用プログラム。
【発明の詳細な説明】
【０００１】
【発明の属する技術分野】
本発明は、画像色補正装置、画像色補正方法ならびに画像色補正用プログラムに関し、特にユーザーに興味の対象となる色や対象領域を選択させ、それを補正の中心色とし色補正を施すことによって、画像全体の色補正を実現する画像色補正装置、画像色補正方法ならびに画像色補正用プログラムに関する。
【０００２】
【従来の技術】
カラー画像装置に表示あるいは出力されるカラー画像の色に関して、画像データ自身の色に問題がある場合だけでなく、カラー画像装置の色再現において問題がある場合に、ホワイトバランスや色かぶり補正などの色補正を施す必要がある。これらの色補正を実現する様々な色補正方法が提案されている。
【０００３】
カラー画像中の所望の領域の色相を補正するとき、補正する色相範囲が広く、希望の色相を得ることが困難である場合、指定された色相および色相範囲から入力画素の注目する画素についてＨＳＶ値を（ｈ１、ｓ１、ｖ１）とし、特色度ｈｘ＝（（ｍ−｜Ｈｕｅ−ｈ１｜）／ｍ）×ｓ１×ｖ１を演算し、入力画素の各色信号Ｒ、Ｇ、Ｂの補正係数を（ａ１、ａ２、ａ３）とするとき補正された各色信号が（Ｒ′、Ｇ′、Ｂ′）＝（Ｒ、Ｇ、Ｂ）＋ｈｘ×（ａ１、ａ２、ａ３）となるように補正を施す方法が提案されている（例えば、特許文献１参照）。
【０００４】
また、画像中の肌色、草木の緑、青空といった人間にとって重要な対象であると言われている領域の色を選択的に望ましい（好ましい）色に補正する自動色補正方法も提案されている（例えば、非特許文献１参照）。
【０００５】
【特許文献１】
特開平１０−１９８７９５号公報（第８−９頁、図１）
【非特許文献１】
塚田、舟山、田島：“好ましい色再現を実現する自動色補正方法”、
カラーフォーラムＪＡＰＡＮ２０００論文集，ｐｐ．９−１２，２０００．
【０００６】
【発明が解決しようとする課題】
しかしながら、ユーザーが興味を持つ、あるいは、重要であると感じる対象物や色は、一意に決められるものではない。また、映像ソースによっては、重要である対象物や色が変ってしまうことも考えられる。このような問題を解決するためには、ユーザーの興味に合った色再現、および映像ソース毎に対して最適な色再現を実現できる、より柔軟な色補正方法が必要である。
【０００７】
このような問題を解決するために、本発明の目的は、カラー画像機器で表示あるいは出力するカラー画像の高画質化手法として、ユーザーに興味の対象となる色や対象領域を選択させ、それを補正の中心色とし色補正を施すことによって、柔軟に色補正を実現する画像色補正装置、画像色補正方法ならびに画像色補正用プログラムを提供することにある。
【０００８】
【課題を解決するための手段】
本発明の画像色補正装置は、入力画像を色補正して画像表示部に出力画像を供給する画像色補正装置であって、前記画像表示部の出力画像から色補正対象となる対象物あるいは対象色を選択する対象選択手段により選択された前記対象物あるいは前記対象色の中心色を計算して補正の中心色とし、この中心色を補正することにより前記出力画像を希望の色に補正する色補正処理部を備える。
【０００９】
また、本発明の画像色補正装置は、入力画像を色補正して画像表示部に出力画像を供給する画像色補正装置であって、前記画像表示部の出力画像から色補正対象となる対象物あるいは対象色を選択する対象選択手段と、選択された前記対象物あるいは前記対象色の中心色を計算し補正の中心色とし、この中心色を補正することにより前記出力画像を希望の色に補正する色補正処理部とを備える。
【００１０】
さらに、本発明の画像色補正装置は、入力画像を色補正して画像表示部に出力画像を供給する画像色補正装置であって、色補正対象画像を提示する評価画像提示手段と、この評価画像提示手段の提示に基づいて得られる画像から色補正対象となる対象物あるいは対象色を選択する対象選択手段と、選択された前記対象物あるいは前記対象色の中心色を計算し補正の中心色とし、この中心色を補正することにより前記出力画像を希望の色に補正する色補正処理部とを備える。
【００１１】
さらに、本発明の画像色補正装置は、前記評価画像提示手段が提示する画像が、人間にとって重要な対象物である人間の顔、草木の緑、青空が含まれた自然画像や、赤、緑、青、シアン、マジェンタ、イエロなどの色を含んだコンピュータグラフィック画像であることを特徴とする。
【００１２】
さらに、本発明の画像色補正装置は、前記対象選択手段が、前記出力画像の色補正対象となる前記対象物の１画素を指定するコンピュータマウスまたは選択領域サイズおよび形状が可変で１画素以上の領域を指定できるスポイトツールまたは補正の領域を塗りつぶすことにより指定するペンツールから成ることを特徴とする。
【００１３】
さらに、本発明の画像色補正装置は、前記色補正処理部が、前記対象選択手段により選択された対象の中心色を計算し補正の中心色とする中心色算出手段と、前記補正の中心色を動かすことで対象の色を調整する色調整手段と、この色調整手段で決定した調整前後の色の組み合わせから色補正を構築する色補正構築手段と、この色補正構築手段で構築された色補正を記憶するメモリと、このメモリに記憶された色補正を用いて前記入力画像に色補正を施し前記画像表示部に色補正結果を出力する画像色補正手段とから成ることを特徴とする。
【００１４】
さらに、本発明の画像色補正装置は、前記中心色算出手段による前記補正の中心色の計算方法が、前記対象選択手段により選択された対象物の色が１画素である場合には、その１画素の色を前記補正の中心色とし、複数の画素で指定された場合には、その複数画素の平均色、あるいは、中央色を前記補正の中心色とすることを特徴とする。
【００１５】
さらに、本発明の画像色補正装置は、前記色調整手段が、前記中心色算出手段から受領した前記補正の中心色を調整した後の色を対話的に決定させるグラフィックユーザーインターフェース（以下ＧＵＩと呼ぶ）を有することを特徴とする。
【００１６】
さらに、本発明の画像色補正装置は、前記ＧＵＩが、参照画像を見ながら、色相および彩度を調整する色相環調整ツールと明度を調整する明度調整バーとから成る色調整用コントロールと、現在調整している色を色調整前の色に戻すための復帰ボタンと、色調整を決定するための決定ボタンとを有することを特徴とする。
【００１７】
さらに、本発明の画像色補正装置は、前記色補正構築手段が、色補正の対象となる色調整前の中心色と、前記色調整手段で決定した色調整後の中心色の組み合わせから、色補正を構築し、前記メモリに記録されることを特徴とする。
【００１８】
さらに、本発明の画像色補正装置は、前記画像色補正手段が、任意の前記入力画像を入力し、前記メモリに記憶された色補正を用いて、前記入力画像に色補正を施し、前記画像表示部を介して色補正結果を提示することを特徴とする。
【００１９】
さらに、本発明の画像色補正装置は、前記画像表示部が、ＣＲＴまたは液晶ディスプレイであることを特徴とする。
【００２０】
さらに、本発明の画像色補正装置は、前記画像表示部が、プロジェクタ等の画像投射装置であることを特徴とする。
【００２１】
さらに、本発明の画像色補正装置は、前記画像表示部がプロジェクタ等の画像投射装置である場合、前記色調整手段として、投射した画像内にペンツール、スポイトツール、色調整用コントロール等をＧＵＩとして表示し、色調整を行うことを特徴とする請求項１２記載の画像色補正装置。
【００２２】
さらに、本発明の画像色補正方法は、入力画像を色補正して画像表示部に出力画像を供給する画像色補正方法であって、前記画像表示部の出力画像から色補正対象となる対象物あるいは対象色を選択し、選択された前記対象物あるいは前記対象色の中心色を計算し補正の中心色とし、この中心色を補正することにより前記出力画像を希望の色に補正することを特徴とする。
【００２３】
さらに、本発明の画像色補正方法は、入力画像を色補正して画像表示部に出力画像を供給する画像色補正方法であって、色補正対象画像を提示し、この評価画像提示に基づいて得られる画像から色補正対象となる対象物あるいは対象色を選択し、選択された前記対象物あるいは前記対象色の中心色を計算し補正の中心色とし、この中心色を補正することにより前記出力画像を希望の色に補正することを特徴とする。
【００２４】
さらに、本発明の画像色補正方法は、前記出力画像の色補正対象となる前記対象物の１画素を指定するコンピュータマウスまたは選択領域サイズおよび形状が可変で１画素以上の領域を指定できるスポイトツールまたは補正の領域を塗りつぶすことにより指定するペンツールによりそれぞれ前記対象物あるいは前記対象色を選択することを特徴とする。
【００２５】
さらに、本発明の画像色補正方法は、入力画像を色補正して、画像表示部に出力画像を供給する画像色補正方法であって、前記画像表示部の出力画像から色補正対象となる対象物あるいは対象色を選択する対象選択ステップと、対象色の中心色を計算し補正の中心色とする中心色算出ステップと、前記補正の中心色を動かすことで対象の色を調整する色調整ステップと、この色調整ステップで決定した調整前後の色の組み合わせから色補正を構築する色補正構築ステップと、この色補正構築ステップで構築された色補正を記憶する記憶ステップと、記憶された前記色補正を用いて前記入力画像に色補正を施し前記画像表示部に色補正結果を出力する画像色補正ステップとから成ることを特徴とする。
【００２６】
さらに、本発明の画像色補正装置用プログラムは、画像表示部の出力画像から色補正対象となる対象物あるいは対象色を選択する対象選択手段により選択された前記対象物あるいは前記対象色の中心色を計算して補正の中心色とし、この中心色を補正することにより前記出力画像を希望の色に補正する色補正処理をコンピュータに実行させる。
【００２７】
【発明の実施の形態】
本発明の実施の形態について図面を参照して詳細に説明する。
【００２８】
図１は本発明の第１の実施の形態の構成を示すブロック図であり、図２は図１おける対象選択手段の一例を示す図であり、図３は図１の色調整手段におけるグラフィックユーザーインターフェース（以下ＧＵＩと呼ぶ）を示す図である。
【００２９】
図１，図２及び図３を参照して、本発明の第１の実施の形態の構成及び機能を説明する。
【００３０】
図１において、画像色補正装置１は、入力画像２を色補正して画像表示部３に出力画像を供給する画像色補正装置１であって、画像表示部３の出力画像から色補正対象となる対象物あるいは対象色を選択する対象選択手段１０と、選択された対象物あるいは対象色の中心色を計算し補正の中心色とし、この中心色を補正することにより出力画像を希望の色に補正する色補正処理部１１とから構成される。
【００３１】
また、対象選択手段１０は、図２に一例を示すように、出力画像の色補正対象となる対象物の１画素を指定するコンピュータマウス（図示せず）、または選択領域サイズおよび形状が可変で１画素以上の領域を指定できるスポイトツール１０１、または補正の領域を塗りつぶすことにより指定するペンツール１０２等から成る。
【００３２】
さらに、色補正処理部１１は、対象選択手段１０により選択された対象の中心色を計算し補正の中心色とする中心色算出手段１１１と、補正の中心色を動かすことで対象の色を調整する色調整手段１１２と、この色調整手段１１２で決定した調整前後の色の組み合わせから色補正を構築する色補正構築手段１１３と、色補正構築手段１１３で構築された色補正を記憶するメモリ１１４と、このメモリ１１４に記憶された色補正を用いて入力画像２に色補正を施し画像表示部３に色補正結果を出力する画像色補正手段１１５とから構成される。
【００３３】
この中心色算出手段１１１は、補正の対象物が対象選択手段１１により選択された場合にはその対象物の中心色を計算する。中心色は、ユーザーにより選択された対象物の色が１画素である場合には、その１画素の色を補正の中心色とする。一方、複数の画素で指定された場合には、その複数画素の平均色、あるいは、中央色を補正の中心色とする。
【００３４】
また、色調整手段１１２は、中心色を調整した後の色を図３に示すＧＵＩ１１２１を用いて対話的に決定する。このＧＵＩ１１２１は、ユーザーに提示するカラー画像である参照画像１１２４と、ユーザーが選択した色を調整するための色調整用コントロール１１２５と、現在調整している色を色調整前の色に戻すための復帰ボタン１１２６と、色調整を決定するための決定ボタン１１２７とで構成されている。色調整用コントロール１１２５は、色相および彩度を調整するための色相環調整ツール１１２２と明度を調整するための明度調整バー１１２３とで構成されている。なお、色相環調整ツール１１２２には、明度調整バー１１２３位置での明るさを有する色相環が示されている。ユーザーは、左の参照画像１１２４を見ながら、色相環調整ツール１１２２、あるいは明度調整バー１１２３を用いて色を調整する。
【００３５】
図１の色補正構築手段１１３は、色補正の対象となる色調整前の中心色と、色調整手段１１２で決定した色調整後の中心色との組み合わせから、色補正を構築する。色補正構築手段１１３で得られた色補正は、メモリ１１４に記録される。
【００３６】
画像色補正手段１１５は、任意の入力画像２を入力し、メモリ１１４に記憶された色補正を用いて、入力画像２に色補正を施し、画像表示部３を介してユーザーに提示する。
【００３７】
次に、図１，図２及び図３を参照して、色補正処理部１１における画像色補正方法について詳細に説明する。
【００３８】
まず、カラー画像を画像表示部３でユーザーに提示する。提示されたカラー画像をユーザーの好みの色に補正するために、ユーザーは、提示された画像中から１色以上の色を対象選択手段１０により選択する。ユーザーが選択する色については、異なる色が選択されればよく、それ以外の制限はない。すなわち、肌色、草木の緑、青空といった人間が有する記憶色と呼ばれる自然物の色が選ばれることもあるが、記憶色とはまったく関係ない人工物の色が選ばれてもよい。
【００３９】
例えば、図３において選択された三角形Ａの中心色のＲＧＢ値が（Ｒ１，Ｇ１，Ｂ１）であったとする。選択された三角形Ａの現在ユーザーに提示されている色（Ｒ１，Ｇ１，Ｂ１）の色相、彩度、明度を中心色算出手段１１１で計算し、色調整手段１１２であるＧＵＩ１１２１の色調整用コントロール１１２５の色相環における色相環調整ツール１１２２を計算した色相および彩度を示す位置に、明度調整バー１１２３における調整ツマミをその明度の位置に移動させる。
【００４０】
そして、ユーザーに色相環調整ツール１１２２を動かさせて、三角形Ａの色を調整させる。参照画像１１２４中の三角形Ａの色は、ユーザーが調整する色相環調整ツール１１２２に連動して色が変化する。ユーザーは現在の色調整をやめて元の色に戻すときには、復帰ボタン１１２６を押す。三角形Ａの色調整後の色（Ｒ１’，Ｇ１’，Ｂ１’）を決定するときには、決定ボタン１１２７を押す。同様に、丸Ｂの色（Ｒ２，Ｇ２，Ｂ２）を色調整して（Ｒ２’，Ｇ２’，Ｂ２’）を、四角形Ｃの色（Ｒ３，Ｇ３，Ｂ３）を色調整して（Ｒ３’，Ｇ３’，Ｂ３’）を決定する。
【００４１】
色調整の対象の色が均一でない場合にも対応できる。例えば、図３における参照画像１１２４中の三角形Ａの色が均一でなく色が滑らかに変化している場合には、例えば、前述の特開平１０−１９８７９５公報に示されている色補正方法を用いることで対応可能である。指定した中心色については、色調整用コントロール１１２５で通常に色調整する。指定し調整する中心色の周辺色については特開平１０−１９８７９５公報に示されている選択的色補正を適用し、色調整結果を参照画像１１２４に反映することができる。このように、参照画像１１２４中の色調整対象色が均一でない場合でも、色調整結果を見ながら容易に色調整が可能である。
【００４２】
ユーザーにより指定された色調整前のＲＧＢ値と色調整後のＲ’Ｇ’Ｂ’値のペアを元にＲＧＢ→Ｒ’Ｇ’Ｂ’色変換を色補正構築手段１１３で構築する。
【００４３】
なおユーザーより選択された色の（Ｒ，Ｇ，Ｂ）はそれぞれ線形独立であるものとする。ＲＧＢ→Ｒ’Ｇ’Ｂ’変換の一例を式（１）に示した。
【００４４】
2004118442.tif 000003
【００４５】
図３の例の場合、三角形Ａ、丸Ｂ、四角形Ｃの３組について色調整前の（Ｒｉ，Ｇｉ，Ｂｉ）と色調整後の（Ｒｉ’，Ｇｉ’，Ｂｉ’）のペアがある。ここで、ｉ＝１〜３である。この３組のＲＧＢ値を式（１）に代入し、未知数ａｊｋ（ｊ，ｋ＝１〜３）に関する一次連立方程式を作成し、これを解く。
【００４６】
2004118442.tif 000004
【００４７】
式（２）で得られた未知数ａｊｋを式（１）のＲＧＢ→Ｒ’Ｇ’Ｂ’変換式に代入することで、ユーザーが色調整手段１１２により行った色調整を反映した色補正の構築が、色補正構築手段１１３に実施できる。
【００４８】
図３の場合には、ユーザーにより３個の色を調整したが、３個以上の場合も対応可能である。３個以上の場合には、未知数ａｊｋを求めるための方程式を作成し、最小自乗法などを使用して未知数ａｊｋを計算すればよい。
【００４９】
また、色変換は、式（１）に限る必要は無く、式（３）のようにオフセット項を追加したり、式（４）のように高次の補正項を追加することも可能である。
【００５０】
2004118442.tif 000005
【００５１】
2004118442.tif 000006
【００５２】
式（３）や式（４）の色変換を利用する場合には、ユーザーに調整させる最低限の色の数も増えるので、ＧＵＩ１１２１にてユーザーに調整させる色数についても指示する。式（３）の場合には、未知数が１２個であるから線形独立な４色以上、式（４）の場合には、未知数が２１個であるから、線形独立な７色以上の色調整が必要となる。
【００５３】
図４は、本発明の第２の実施の形態を示すブロック図である。
【００５４】
図４を参照すると、この第２の実施の形態の画像色補正装置４は、第１の実施の形態（図１）の画像色補正装置１に評価画像提示手段１２を追加した構成となっている。第１の実施の形態の画像色補正装置１では入力画像２をユーザーに提示して色補正を構築したが、この第２の実施の形態（図４）の画像色補正装置４では評価画像提示手段１２がユーザーに提示した画像に基づいて色補正を構築する。
【００５５】
評価画像提示手段１２が提示する画像は、ユーザーがあらかじめ用意した画像であって、例えば、我々人間にとって重要な対象物である人間の顔、草木の緑、青空が含まれた自然画像や、赤、緑、青、シアン、マジェンタ、イエロなどの色を含んだコンピュータグラフィック画像などでも良い。
【００５６】
この画像色補正装置４において、評価画像提示手段１２以外の手段およびメモリは全て第１の実施の形態の画像色補正装置１における手段およびメモリと同じものである。したがって、この画像色補正装置４では、評価画像提示手段１２がユーザーに提示した画像に基づいて構築された色補正を入力画像２に適用した出力画像を、画像表示部３を介してユーザーに提示する。
【００５７】
図５は、本発明の第３の実施の形態を示す図であって、第１，第２の実施の形態の画像表示部３にプロジェクタ等の画像投射装置を使用した場合を示す。
【００５８】
プロジェクタ等の画像投射装置は、ＣＲＴや液晶ディスプレイのような画像表示装置とは違い、白色でない壁に投射する場合がある。その場合、表示された色は白色のスクリーンに投射した時と異なった色になる。その際、第１の実施の形態における画像色補正装置１または第２の実施の形態における画像色補正装置４を使用することにより、表示された画像をユーザーの好みの色に変換することができる。
【００５９】
図５を参照すると、白色でない壁面３１に、プロジェクタ３２を使用して、投射した画像３３を映す。画像色補正装置１または４を使用して、投射した画像３３をユーザーの好みにより色調整を行い白色に投射した時と同等の画像に変換する。
【００６０】
投射した画像３３の色補正は、第１の実施の形態における表示画像による色変換、または第２の実施の形態における評価画像を使用した色変換のどちらを使っても可能である。
【００６１】
また、プロジェクタ等の画像投射装置を使用した場合の色調整は、図１における画像色補正装置１と画像表示部３（プロジェクタ等の画像投射装置）とで色調整を行う場合と、プロジェクタ等の画像投射装置内に図１における画像色補正装置１を持っている場合とがある。後者の場合は投射した画像３３内にペンツール１０２、スポイトツール１０１、色調整用コントロール１１２５等をＧＵＩ１１２１として表示して、色調整を行う。
【００６２】
なお、上記第１、第２、第３の実施の形態における色補正処理部１１の機能は、コンピュータのプログラムで代替させることができる。また、画像表示部３は、一般的なディスプレイであり、ＣＲＴ、液晶ディスプレイ、または上述のようにプロジェクタなどが使用される。
【００６３】
【発明の効果】
以上説明したように、本発明の第１の効果は、ユーザー毎の好みに対応できる柔軟な色補正が実現できるということである。
【００６４】
第２の効果は、入力画像に応じて強調する対象物などを柔軟に設定できるということである。
【図面の簡単な説明】
【図１】本発明の第１の実施の形態の構成を示すブロック図である。
【図２】この実施の形態おける対象選択手段の一例を示す図である。
【図３】この実施の形態おけるＧＵＩの一例を示す図である。
【図４】本発明の第２の実施の形態の構成を示すブロック図である。
【図５】本発明の第３の実施の形態であるプロジェクタ等の画像投射装置で色の付いた壁に投射する場合を説明する図である。
【符号の説明】
１　　画像色補正装置
２　　入力画像
３　　画像表示部
４　　画像色補正装置
１０　　対象選択手段
１１　　色補正処理部
１２　　評価画像提示手段
３１　　壁面
３２　　プロジェクタ
３３　　投射した画像
１０１　　スポイトツール
１０２　　ペンツール
１１１　　中心色算出手段
１１２　　色調整手段
１１３　　色補正構築手段
１１４　　メモリ
１１５　　画像色補正手段
１１２１　　ＧＵＩ
１１２２　　色相環調整ツール
１１２３　　明度調整バー
１１２４　　参照画像
１１２５　　色調整用コントロール
１１２６　　復帰ボタン
１１２７　　決定ボタン
【図１】
2004118442.tif 000007
【図２】
2004118442.tif 000008
【図３】
2004118442.tif 000009
【図４】
2004118442.tif 000010
【図５】
2004118442.tif 000011